(57)【要約】いくつかの実施形態では、電子レンジで食品を調理し、カリカリに仕上げるための便利な、電子レンジ対応型パッケージを提供するのに有用な装置および方法が本明細書に開示されている。いくつかの実施形態では、電子レンジ対応型包装食品は、外装と、その中に収容される一定量の食品とを含む。一手法では、パッケージは、その上にマイクロ波エネルギー相互作用材料を含み、かつその中に複数の個別の開口部が配置されているサセプタ層と、水分およびグリースを吸収するのに適した可撓性の紙ベース材料を有する吸収性パッド層と、サセプタ層および吸収性紙ベース層を支持する構造を提供する板紙ベース層と、を含む、少なくとも３つの層を有する多層の電子レンジ対応型トレイを有する。この方法において、電子レンジ対応型トレイまたは支持体は、サセプタ、吸収性パッド、および板紙支持体を含む少なくとも３つのマクロ層を有しており、それらの一部は、後述するように、その中に追加の層を含んでもよい。【選択図】図４
2020500789.tif 000002
【特許請求の範囲】
【請求項１】
外装と、その中に収容された一定量の食品とを含む電子レンジ対応型包装食品であって、電子レンジで加熱されるように構成されており、
その上にマイクロ波エネルギー相互作用材料を有しており、電子レンジ対応型支持体の中心においてより高い密度で配置されている複数の個別の開口部がその中に配置されているサセプタ層と、
水分およびグリースを吸収するのに適した可撓性の紙ベース材料を有する吸収性パッド層と、
前記サセプタ層および前記吸収性パッド層を支持する板紙ベース層と、
を含む、少なくとも３つの層を有する平坦な、多層の電子レンジ対応型支持体を含む、包装食品。
【請求項２】
前記サセプタ層は、マイクロ波エネルギー相互作用材料をその上に有する金属化材料を有する上部製品接触層と、紙層とを少なくとも有する多層の可撓性構造体である、請求項１に記載の包装食品。
【請求項３】
前記サセプタ層の多層の可撓性構造が、更に追加のポリマー層を含み、前記サセプタ層の多層の可撓性構造が約０．００２インチ〜約０．０２０インチのサセプタ厚さを有する、請求項２に記載の包装食品。
【請求項４】
前記電子レンジ対応型支持体は、約５０〜約８０平方インチの上部表面積を有しており、前記電子レンジ対応型トレイの中心においてより高い密度を有する前記個別の開口部は、放射状に配置されており、かつそれぞれが約０．１２５インチ〜約０．２５インチの直径を有する約３０〜約８０の個別の開口部を含む、請求項１に記載の包装食品。
【請求項５】
前記電子レンジ対応型支持体の開口部の面積に対するサセプタ層の比率が約４０：１〜約８０：１である、請求項１に記載の包装食品。
【請求項６】
前記板紙ベース層は約０．０１０インチ〜約０．０３０インチのベース厚さを有する、請求項１に記載の包装食品。
【請求項７】
前記吸収性パッド層は、水分およびグリースを吸収するための紙層、透明ポリエチレン層、および不織紙ベース層を有する多層の可撓性構造である、請求項１に記載の包装食品。
【請求項８】
前記吸収性パッド層は、約０．０１０インチ〜約０．０４０インチのパッド厚さを有しており、約１３５  ｌｂｓ．／ｒｅａｍ（１，０００  ｓｑ．ｆｔ）の坪量を有する、請求項７に記載の包装食品。
【請求項９】
前記電子レンジ対応型支持体は、約９．０インチの全支持幅、約６．５インチの全支持長さ、および約０．０３インチ〜約０．０７０インチの支持厚さを有する、請求項１に記載の包装食品。
【請求項１０】
前記サセプタ層、前記吸収性パッド層、および前記板紙ベース層が互いに同一の広がりを有する、請求項１に記載の包装食品。
【請求項１１】
前記サセプタ層が、前記板紙ベース層よりも前記電子レンジ対応型支持体の表面領域をより少なく被覆している、請求項１に記載の包装食品。
【請求項１２】
前記サセプタ層が、全支持表面積の約４０％〜約６０％を被覆している、請求項１１に記載の包装食品。
【請求項１３】
前記電子レンジ対応型支持層の板紙ベース層は、消費者が前記サセプタ層に触れることなく前記板紙ベース層を把持することができるように、前記サセプタ層の周囲を超えて延在している、請求項１１に記載の包装食品。
【請求項１４】
前記サセプタ層は前記板紙ベース層よりも前記電子レンジ対応型支持体の表面積をより少なく被覆しており、また、前記サセプタ層は、概して前記電子レンジ対応型支持体の中央領域に配置された円形構成を有する、請求項１１に記載の包装食品。
【請求項１５】
更に、前記多層の電子レンジ対応型支持体を電子レンジの床部から持ち上げるように構成された長方形の自立型スタンドを含む、請求項１に記載の包装食品。
【請求項１６】
更に、前記電子レンジ対応型支持体の端縁に配置された１つ以上の直立フランジを含む、請求項１に記載の包装食品。
【請求項１７】
生肉を電子レンジで調理することを可能にするように構成された生肉パッケージであって、
側部支持壁によって連結された上部支持面および下部支持面と、前記上部支持面と前記下部支持面との間の吸収性パッドとを有し、前記上部支持面、前記側部支持面、および前記側部支持壁が板紙材料である多層の電子レンジ対応型支持体を含み、
前記上部支持面はその上に配置されたサセプタ層を有し、前記サセプタ層はその上にマイクロ波エネルギー相互作用材料を有しており、かつ前記サセプタおよび前記上部支持面に複数の個別の開口部が配置されており、
前記上部支持面は、水分およびグリースが通過し得るように構成された前記サセプタおよび前記上部支持面の複数の個別の開口部を有する角度付き構成を有しており、
前記吸収性パッド層は、前記サセプタの開口部を通じて前記上部支持面の下の前記吸収性パッドへと排出される水分およびグリースを吸収するのに適した可撓性の紙ベース材料を有する、パッケージ。
【請求項１８】
前記サセプタ層は、マイクロ波エネルギー相互作用材料をその上に有する金属化材料を有する上部製品接触層と、紙層とを少なくとも有する多層の可撓性構造と、中央の最下部に配置された排水部を有するＶ字型の傾斜した上部支持面とを有する、請求項１７に記載のパッケージ。
【請求項１９】
前記複数の個別の開口部のうちの少なくとも一部は、前記傾斜した上部支持面の谷部に配置されている、請求項１７に記載のパッケージ。
【請求項２０】
前記個別の開口部が放射状に配置されている、請求項１９に記載のパッケージ。
【請求項２１】
外装と、その中に収容される一定量の生ベーコンとを含む電子レンジ対応型包装食品であって、前記包装食品は、電子レンジでの食品の加熱を容易にするように構成されており、
前記ベーコンは、少なくとも約７．５％〜約１８．５％のタンパク質を含み、
前記パッケージは、更に、
マイクロ波エネルギー相互作用材料をその上に有しており、その中に放射状に配置された複数の個別の開口部が配置されているサセプタ層と、
水分およびグリースを吸収するのに適した可撓性の紙ベース材料を有する吸収性パッド層と、
前記サセプタ層および前記吸収性紙ベース層を支持する板紙ベース層と、
を含む、少なくとも３つの層を有する、平坦な多層の電子レンジ対応型支持体を含み、前記支持体によって吸収されない、ベーコンの電子レンジによる調理中に生成されるグリースの量が約１０％未満である、包装食品。
【発明の詳細な説明】
【関連技術の相互参照】
【０００１】
本出願は、２０１６年１１月３０日に出願された米国仮特許出願第６２／４２８３１４号の利益を主張しており、その全体が参照により本明細書に組み込まれる。
【技術分野】
【０００２】
本発明は、概して、包装食品と、インスタント食品を出荷、小売展示、貯蔵および電子レンジ調理するためのパッケージとに関する。
【背景技術】
【０００３】
インスタント食品は、消費者による調理をほとんど必要とせず、購入直後または電子レンジによる加熱の直後に食べることができる。電子レンジで食品を調理するためにマイクロ波エネルギー（即ち、約０．３〜３００ＧＨｚ、一般に約２．４５ＧＨｚの周波数の電磁放射）を使用することに関連する問題の１つとして、食品の加熱の不均一性が挙げられる。温度の均一性が望まれる場合にも、相当な温度むらが存在する可能性がある。この問題は、部分的に、電子レンジキャビティ内の電力分布が通常不均一であるという事実による。不均一な電力密度は、キャビティ内に「ホットスポット」および「コールドスポット」を生じさせる。
【０００４】
また、食品が一般的な加熱サイクル中にその体積全体にわたって、マイクロ波放射に対して均一な温度応答を示さないという事実も問題の一因となっている。特に、食品がマイクロ波放射に曝露されると、その食品のある部分は他の部分よりも先に調理される場合があり、他の部分が調理不足である一方で調理過多になる可能性がある。
【０００５】
加熱の均一性の問題に対処するために多くの努力がなされてきた。解決策として、様々な種類のターンテーブル、サセプタ、リフレクタ、およびシールドが提案されてきた。しかしながら、特定の市販の電子レンジにおいて有用である装置が、電力、キャビティサイズおよびフィールド構成の多様性により、他のオーブンにおいて許容可能な性能を示さない場合がある。また、調理を改善し得るいくつかの装置は、アーク放電またはスパークを引き起こす傾向がある故に受け入れられない。更に、食品を遮蔽するおよび／または食品から放射を反射する装置は、食品の調理時間を増大させる可能性がある。典型的な食品は、不均一な熱抵抗および不均一な誘電特性を有する。更に、そのような食品の誘電特性は、調理中にしばしば変化する。これらの要因は、調理速度および均一性を改善するための努力を更に複雑化する傾向がある。新規なインスタント食品を開発する際に考慮され得る考慮事項の中には、これらの問題に対処しながらマイクロ波加熱を容易にするパッケージングの能力が挙げられる。
【０００６】
薄切りベーコンの不均一性、調理中および調理後に残るグリースおよび水分、並びに調理中に薄切りベーコンの寸法および形状が変化する傾向に起因して、特別な問題を提起する人気のある食品の１つにベーコンが挙げられる。
【発明の概要】
【０００７】
本明細書には、電子レンジ対応型パッケージおよび食品に関するシステム、装置および方法の実施形態が開示されている。本明細書は以下の図面を含む。
【図面の簡単な説明】
【０００８】
【図１】いくつかの実施形態による食品パッケージの上面斜視図である。
【図２】平坦な構成にある、図１のパッケージの部分上面図である。
【図３】未開封の、図１のパッケージの上面斜視図である。
【図４】いくつかの実施形態による別の食品パッケージの上面斜視図である。
【図５】未開封の、図４の部分上面斜視図である。
【図６】図４の部分上面斜視図である。
【図７】図４の部分上面図である。
【図８】いくつかの実施形態による別の食品パッケージの上面図である。
【図９】図８の部分断面図である。
【図１０】図９の層の更なる詳細を示す概略断面図である。
【図１１】いくつかの実施形態による別の食品パッケージの上面図である。
【図１２】いくつかの実施形態による別の食品パッケージの上面図である。
【図１３】図１２の部分断面図である。
【図１４】図１３の層の更なる詳細を示す概略断面図である。
【図１５】いくつかの実施形態による別の食品パッケージの上面図である。
【図１６】いくつかの実施形態による別の食品パッケージの上面図である。
【図１７】いくつかの実施形態による別の食品パッケージの上面斜視図である。
【図１８】図１７の部分上面斜視図である。
【発明を実施するための形態】
【０００９】
図中の要素は、簡素化および明瞭化のために示されており、必ずしも縮尺どおりに描かれているわけではない。例えば、図中の一部の要素の寸法および／または相対位置は、本発明の様々な実施形態の理解の向上を助けるために他の要素に対して誇張されている場合がある。また、商業的に実現可能な実施形態において有用または必要である、一般的かつ十分に理解されている要素は、本発明のこれらの様々な実施形態の視野の邪魔にならないように描かれていない場合が多い。特定の動作および／またはステップは、特定の発生順序で説明または描写されているが、当業者であれば、順番に関するそのような特定は実際には必要ないことを理解するであろう。本明細書で使用される用語および表現は、異なる特定の意味が本明細書で別段に記載されている場合を除いて、上記のように、当業者によるそのような用語および表現と一致する通常の技術的意味を有する。
【００１０】
一般的に言えば、様々な実施形態に従って、生のベーコンまたはその他の肉等の食品を電子レンジで調理しカリカリに仕上げるための便利な電子レンジ対応型パッケージを本明細書で説明する。いくつかの実施形態では、電子レンジ対応型包装食品は、外装と、その中に収容される一定量の食品とを含み、包装食品は電子レンジで加熱することができる。一手法では、パッケージは、その上にマイクロ波エネルギー相互作用材料を含み、その中に複数の個別の開口部が配置されたサセプタ層と、水分およびグリースを吸収するのに適した可撓性の紙ベースの材料を有する吸収性パッド層と、サセプタ層および吸収性紙ベース層を支持する構造を提供する板紙ベース層とを含む少なくとも３層を有する、平坦な多層の電子レンジ対応型支持体またはトレイを有する。この方法においては、電子レンジ対応型トレイまたは支持体は、サセプタ、吸収性パッド、および板紙支持体を含む少なくとも３つのマクロ層を有し、それらの一部は後述するように追加の層を含むことができる。一実施形態では、サセプタは板紙ベースに（その製品接触面とは反対側のサセプタ側に）接着され、板紙ベースは吸収性パッドに接着される。別の実施形態では、吸収性パッドはサセプタと板紙ベースとの間に配置されている。本明細書で使用されるように、板紙ベースは、一般にその上の食品の重量を支え、サセプタは製品に接触する支持体またはトレイのマクロ層である。
【００１１】
例示的な一手法では、サセプタは、底部にポリ層を有する紙層に積層された金属化ポリフィルムである。より具体的には、一例では、サセプタ層は、マイクロ波エネルギー相互作用材料をその上に有する金属化材料を有する上部製品接触層と（機能性のための追加の紙層またはポリ層を含み得る）紙層とを少なくとも有する多層の可撓性構造を含む。別の例では、サセプタ層の多層の可撓性構造は、更に、追加のポリマー層を含む。本明細書で使用されるように、サセプタ層の多層の可撓性構造は、約０．００２インチ〜約０．０２０インチのサセプタ厚さを有することができる。更に、サセプタ層は、３，０００  ｓｑ．ｆｔ当たり約４０〜約６０  ｌｂｓ．の坪量を有し得る。
【００１２】
いくつかの構成において、多層の電子レンジ対応型支持体は、約５０インチ２〜約８０インチ２の上面表面積を有する。別の手法によれば、電子レンジ対応型支持体は、約９．０インチの全支持幅、約６．５インチの全支持長さ、および約０．０３インチ〜約０．０７インチの支持厚さを有する。従って、一構成では、支持体の設置面積は約６．５インチ×約９インチである。
【００１３】
上に示唆したように、サセプタ材料またはサセプタ層は、その中に穿孔、穴、または開口部を有することで、サセプタの食品接触面からのグリースおよび／または水分の排出を容易にすることができる。更に、いくつかの構成では、個別の開口部は、電子レンジ対応型トレイまたは支持体の中心にてより高い密度を有する。例えば、例示的な一構成では、個別の開口部は、サセプタ層の中心から広がる放射状パターンまたは放射状構成で配置される。いくつかの実施形態では、支持体は、それぞれが約０．１２５インチ〜約０．２５インチの直径を有する約３０〜約８０の個別の開口部を含む。例示的な一実施形態では、電子レンジ対応型支持体は、開口部の面積に対するサセプタ層の面積の比が約４０：１〜約８０：１である。一手法では、一般に、肉製品を均一に分布させてベーコンおよびその他の肉を調理する際に、グリースおよび水分が溜まる場所であるサセプタ層の中央またはその付近により多数の個別の開口部を配置する。例示的な一手法では、サセプタ層は、約６５〜約８５の個別の開口部と、約０．１インチ〜約０．３インチの直径と、約６０：１〜約７０：１の表面積比とを含む。別の構成では、サセプタ層は、サセプタの面積比が約６４：１〜約６５：１となるように、それぞれが約０．１２５インチの直径を有する約７３の個別の開口部を有する。これらの範囲内の穿孔パターンを有することにより、一定量のグリースを除去することによって食品を調理し、カリカリに仕上げ、結果的に噛みづらくおよび／または油っぽくなる、または著しく収縮することを回避する。これらの範囲は、フライパンで調理されたベーコンを忠実に再現するようにベーコンを調理するのに特に適している。
【００１４】
動作中、板紙ベース層は、サセプタ層および吸収性パッドのための乗り物または支持体として機能し、それによってその上に食品を保持するために必要な剛性を提供する。板紙層は、グリースおよび／または水分をはじくために片面または両面をポリコーティングしてもしなくてもよい。いくつかの構成において、板紙ベース層は、約０．０１０インチ〜約０．０３０インチのベース厚を有する。いくつかの実施形態において、板紙層の坪量は、１，０００  ｓｑ．ｆｔ当たり約５０〜約８０  ｌｂｓ．である。一手法によれば、板紙ベース層は約１２ポイント〜約１６ポイントの厚さを有する。別の手法では、板紙ベース層は、約１４ポイントまたは約１６ポイントの固体漂白硫酸塩である。別の手法では、板紙ベースの厚さは、約０．０１９インチ〜約０．０２２インチである。更に、サセプタ層および吸収性パッドは多層構成を有することができるが、板紙ベース層は単層構造を有することができる。
【００１５】
上に示唆したように、いくつかの構成では、吸収性パッド層は多層の可撓性構造であり、グリースおよび／または水分を吸収するための紙層、透明ポリエチレン層、および不織紙ベース層を含むことができる。一手法では、吸収性パッド層は、約０．０１０インチ〜約０．０４０インチのパッド厚さを有しており、約１３５  ｌｂｓ．／ｒｅａｍ（１，０００  ｓｑ．ｆｔ）の坪量を有する。別の手法では、吸収性パッドは約０．０２３インチの厚さを有する。
【００１６】
上に示唆したように、多層の電子レンジ対応型支持体の層は、いくつかの方法で構成することができる。例えば、サセプタ層は一般に支持体の食品接触面上に配置されるが、層の順序は可変である。更に、層のサイズは互いに異なっていてもよい。一手法では、サセプタ層、吸収性パッド層、および板紙ベース層は、互いに同一の広がりを有する。更に別の手法では、サセプタ層は、板紙ベース層よりも電子レンジ対応型支持体の表面領域をより少なく被覆する。例えば、一手法では、吸収性パッドは、サセプタ内の個別の穴の下にのみ、またはサセプタの下にのみ配置することができる。別の例では、吸収性パッドはサセプタ層および／または板紙層と同一の広がりを持って配置されてもよい。１つの例示的な手法では、サセプタ層は支持体表面積全体の約４０％〜約６０％を被覆する。別の構成では、電子レンジ対応型支持層の板紙ベース層は、消費者がサセプタ層に接触することなく板紙ベース層を把持することができるように、サセプタ層の周囲を超えて延在している。いくつかの構成では、サセプタ層は、板紙ベース層よりも電子レンジ対応型支持体の表面領域をより少なく被覆しており、また、サセプタ層は、概して電子レンジ対応型支持体の中央領域に配置された円形構成を有する。これはまた、端縁領域が比較的低温のままである故に、電子レンジから取り出す際に消費者が板紙ベース層の周辺部分を使用することで安全な取り扱いを可能にする。
【００１７】
いくつかの実施形態では、パッケージは長方形のスタンドを含み得る。より具体的には、パッケージは、電子レンジの床部から多層の電子レンジ対応型支持体またはトレイを持ち上げるように構成された長方形の自立型スタンドを含むことができる。更に、いくつかの構成では、電子レンジ対応型支持体は、電子レンジ対応型支持体の端縁に配置される１つ以上の直立フランジを有することができる。
【００１８】
いくつかの例示的な手法では、電子レンジ対応型包装食品は、外装と、その中に収容される一定量の生のベーコンとを含む。そのような構成では、包装食品は、電子レンジでの食品の加熱を容易にする。ここで、ベーコンは少なくとも約７．５％〜約１８．５％のタンパク質を含み、また、パッケージは、その上にマイクロ波エネルギー相互作用材料を有しており、その中に複数の個別の開口部が放射状に配置されたサセプタ層と、水分およびグリースを吸収するのに適した可撓性の紙ベースの材料を有する吸収性パッド層と、サセプタ層および吸収性紙ベース層を支持する板紙ベース層とを含む、少なくとも３つの層を有する、平坦な多層の電子レンジ対応型支持体を有する。このような構成では、支持体によって吸収されない、ベーコンの電子レンジ調理中に発生するグリースの量は、一般的に約１０％未満である。一構成では、グリースの約８％未満は支持体によって吸収されない。別の構成では、グリースの約６％未満は支持体によって吸収されない。
【００１９】
別の例示的な構成では、生肉を電子レンジで調理することを可能にするように構成された生肉パッケージは、サセプタおよび吸収性パッドを有する角度付きまたはＶ字型の板紙を含む。一手法では、電子レンジ対応型包装食品は、側部支持壁によって連結される上部支持面および下部支持面と、上部支持面と下部支持面との間の吸収性パッドとを有する多層の電子レンジ対応型支持体を含んでおり、上部支持面、側部支持面、および側部支持壁は板紙材料からなる。更に、そのような構成では、上部支持面はその上に配置されたサセプタ層を有しており、サセプタ層は、その上にマイクロ波エネルギー相互作用材料を有し、その中に複数の個別の開口部が配置されており、上部支持面は、水分およびグリースがそこを通じて排出され得るように構成された、サセプタ内の複数の個別の開口部を有する角度付き構造を有する。更に、一手法では、吸収性パッド層は、サセプタの開口部を通して上部支持面の下の吸収性パッドに排出される水分およびグリースを吸収するのに適した可撓性の紙ベース材料を有する。
【００２０】
傾斜した上面を有するパッケージにおいて、サセプタ層は、マイクロ波エネルギー相互作用材料をその上に有する金属化材料を有する上部製品接触層と、紙層とを少なくとも有する多層の可撓性構造と、中央に配置された最下部の排出部を有するＶ字形状の上部傾斜面とを含み得る。更に、いくつかの構成では、複数の個別の開口部のうちの少なくとも一部は、傾斜した上部支持面の谷部に配置されている。上述した実施形態のいくつかと同様に、いくつかの構成では、個別の開口部は放射状に配置されている。
【００２１】
本明細書に概説されるパッケージは、生肉（または他の食品）の迅速かつ均一な調理を可能にするサセプタ層と、調理作業の副産物である、あらゆる油、グリース、または水分を管理するための吸収性パッドとを有することによって、最小限の汚れで電子レンジにより肉を調理しカリカリに仕上げる迅速な方法を提供する。要するに、包装食品は、金属化サセプタ材料および一体型吸収材料に（ラミネート加工等によって）取り付けられた板紙ベースを含む。これらの要素の組み合わせは、食品を適切にカリカリに仕上げることを可能にするのに十分な油またはグリース、例えば、最小限の分量のグリースを提供しつつ、サセプタの食品接触面からのグリースの除去のバランスをとるように理想的に構成される。本明細書のパッケージは、フライドベーコン（または調理プロセス中に油またはグリースを生成し得る他の食品、例えばソーセージ、コールドカット、またはデリミート）を楽しみたいが、そのような食品を揚げることに関連する汚れや臭いを避けたいか、またはそのような食品を一人前だけ楽しみたい消費者にとって特に魅力的であり得る。
【００２２】
図１は、例えば生ベーコン等の生肉１２をその上に含む電子レンジ対応型包装食品１０を示す。生ベーコン１２に加えて、包装食品は、他のオプションの中でも、例えば、ミートボール、チップス、焼いた食品、野菜片またはスライス野菜、加工食品、および／または他の肉を、生の、以前に調理された、または部分的に調理された食品と共に含み得る。図示のように、包装食品１０は、側部支持壁２０によって連結された上部支持面１６と下部支持面１８とを有する多層の電子レンジ対応型トレイまたは支持体１４を含む。上部支持面１６と下部支持面１８との間において、電子レンジ対応型支持体１４は、電子レンジ調理中に生肉１２または他の食品からグリースおよび／または水分を吸収するように構成された吸収性パッド２２を有する。
【００２３】
食品１２を調理する、加熱する、カリカリに仕上げる、および／または焼き色を付けるために、電子レンジ対応型支持体１４はサセプタ層２４を有する。一構成では、マイクロ波エネルギー相互作用材料を有するサセプタ層２４は、上部支持面１６に配置される。更に、図示のように、サセプタ層２４はその中に配置された複数の個別の開口部２６を有する。一手法では、複数の個別の開口部２６をサセプタ層２４および上部支持面１６に貫通させることで、水分およびグリースの排出または通過を可能にする。更に、上部支持面１６と下部支持面１８との間に配置された吸収性パッド層２２は、電子レンジでの調理プロセス中にベーコン１２から分離した水分およびグリースの少なくとも一部を吸収することができる。一構成では、（上部支持面１６の下にある）吸収性パッド層２２は、サセプタ層２４および上部支持面１６の個別の開口部２６を通過する水分およびグリースを吸収するのに適した可撓性の紙ベース材料を有する。
【００２４】
一構成では、上部支持面１６は角度付き構成を有する。一構成では、複数の個別の開口部２６のうちの少なくとも一部は、傾斜した上部支持面１６の谷部３０に配置される。いくつかの実施形態では、サセプタ層２４は、マイクロ波エネルギー相互作用材料をその上に有する金属化材料を有する上部製品接触層と、紙層とを少なくとも有する多層の可撓性構造である。更に、一手法では、傾斜した上部支持面１６は、中央に配置された最下部排出部２８を有するＶ字形状構成を有する。
【００２５】
いくつかの実施形態では、複数の個別の開口部２６は、主に傾斜した上部支持面１６の谷部に沿って配置されている。他の構成では、個別の開口部のうちの一部は、サセプタ層２４および上部支持面１６上の他の位置に配置されてもよい。以下により詳細に説明するように、様々な構成を採用することができる。例えば、個別の開口部は、電子レンジ対応型支持体またはトレイの中心にてより高い密度で配置されてもよい。１つの例示的な手法では、複数の個別の開口部は、放射状に配置されている（これはまた、電子レンジ対応型支持体の中心において、開口部をより高い密度で含むこともできる）。
【００２６】
一手法によれば、上部支持面１６、下部支持面１８、および側部支持壁２０は、板紙材料からなる。図２は、板紙製の電子レンジ対応型支持面１４の一部を形成するのに使用可能な板紙ブランク３２を示す。板紙ブランク３２は、上部支持面１６、側壁２０、および下部支持面１８を含む。更に、上部支持面１６は、その中に配置された複数の個別の開口部２６を有する。上述したように、個別の開口部２６も（サセプタ層２４の製品接触面からグリースおよび水分を効率的に排出するのを容易にするために、サセプタ層の個別の開口部と、上面１６の個別の開口部とが互いに整列するように、）サセプタ層２４に配置される。個別の開口部２６が上部支持面１６を貫通する一方で、以下に説明する他の構成では、支持面またはトレイは板紙層にいかなる開口部も有さなくてもよい。図２はまた、下部支持面１８（または上部支持面１６）に固定することができる支持面１６から延在する（これは下部支持面１８から延在する場合もある）舌部または延在片３４も示す。１つの例示的な手法では、延在部３４は、サセプタ層２４および／または吸収性パッド２２がそこに固定される前または後に、板紙ブランク３２の他方の端部に固定することができる。
【００２７】
サセプタ層２４および吸収性パッド２２が板紙ブランク３２に固定され、延在部３４がブランク３２の残部に固定されると、電子レンジ対応型包装食品１０は、その上に生ベーコン１２を配置し、次いで、エチレンビニルアルコールバリアフィルム等のフィルム３６内に包装され、真空パックされ、および／または封止される。１つの例示的な手法では、消費者が電子レンジ対応型包装食品１０をフィルム３６から取り出すときに、消費者が板紙ブランク３２を平坦な輸送形態または出荷形態から、傾斜した上部支持面１６と、下部支持面１８に対してほぼ垂直かつほぼ直立した側壁２０とを有する図１の構成に再構成するように、板紙ブランク３２をフィルムラッパー３６（例えば、図３参照）に全体的に平坦な構成で配置する。
【００２８】
動作時には、消費者は、真空包装容器を引き裂いて開口し、包装食品１０をフィルム３６から取り出し（これは、結果的に食品が噛みづらくなり得る、食品のパウチ内での蒸煮を防ぐのに役立つ）、（必要ならば）多層の電子レンジ対応型支持体１４を組み立て、かつ、任意に、ペーパータオルを電子レンジ内の包装食品１０の上に置き、生ベーコンを約２〜約５分間電子レンジ調理する前にグリースの飛び散りを防ぐことによって、パウチまたはフィルム３６を開口することができる。これにより、消費者は、通常電子レンジで調理されたベーコンに付随する噛みづらい口当たりを有することなく、生のベーコンをカリカリな調理済みベーコンに数分で調理することが可能になる。これは、吸収性パッド２２がサセプタ層２４の表面からグリースおよび水分を比較的迅速ではあるが、（ベーコンを大幅に収縮させることなく）一般に消費者が楽しめるカリカリな揚げベーコンの外観および口当たりを提供するように、ベーコン上に少量のグリースが残るように速すぎない程度に吸収することによるものである。包装食品１０の上にペーパータオルを使用することを好む消費者もいるが、吸収性パッド２２により比較的速いペースでグリースを除去することによって、一般に、消費者が電子レンジで包装されていないベーコンを調理する際に遭遇するよりも電子レンジ内で飛び散るグリースが少なくて済む。ペーパータオルを包装食品の一部として含めることができる。
【００２９】
図４は、生ベーコン等の食品１１２をその上に有する、別の電子レンジ対応型包装食品１１０を示す。先の図の一部は傾斜した食品支持面を含んでいたが、図４は、概ね平坦な電子レンジ対応型トレイまたは支持体を示す。この構成では、電子レンジ対応型包装食品１１０は、フィルムラッパーおよび／またはボックス（図示せず）等の外装と、その中に収容される一定量の食品１１２とを含む。包装食品１１２は、電子レンジで加熱されるように構成されており、包装はその上の食品の加熱を容易にする。いくつかの実施形態では、平坦な多層の電子レンジ対応型支持体１１４は、サセプタ層１２４、吸収性パッド１１２、および板紙ベース層１１６を含む少なくとも３つの層を有する。包装食品１１０はまた、いくつかの構成において、任意にスタンド１３８を含んでもよい。例示的な一構成では、電子レンジ対応型支持体は、約９．０インチの全支持幅、約６．５インチの全支持長さ、および約０．０３インチ〜約０．０７０インチの支持厚さを有する。
【００３０】
一手法によれば、サセプタ層１２４は、その上にマイクロ波相互作用材料を有しており、複数の個別の開口部１２６がその中に配置されている。以下に論じるように、サセプタ層１２４は、その中に２つ以上の層を有することができる。サセプタ層１２４は、一般に、その中に配置された複数の個別の開口部１２６を有する。１つの例示的な手法では、複数の個別の開口部１２６は、電子レンジ対応型支持体またはトレイの中心が、より高い密度の個別の開口部１２６を有するような構成で配置される。
【００３１】
上に示唆したように、サセプタ層１２４は、電子レンジ対応型支持体またはトレイ１１４と同様に、多層構造である。一手法では、サセプタ層１２４は、マイクロ波エネルギー相互作用材料をその上に有する金属化材料を有する上部製品接触層と、紙層とを少なくとも有する多層の可撓性構造である。別の手法では、サセプタ層１２４の多層の可撓性構造は、更に、追加のポリマー層を含む。一般に、紙層によるグリースおよび／または水分の吸収が最小限となるように、サセプタ層１２４の紙層は露出していない。例えば、いくつかの構成では、サセプタ層１２４の紙層は、埋め込まれており露出していない。一構成では、サセプタ層１２４は、約０．００２インチ〜約０．０２０インチのサセプタ厚さを有する。
【００３２】
一構成では、電子レンジ対応型支持体１１４は、約５０インチ２〜約８０インチ２の上部表面積を有する。一構成では、電子レンジ対応型トレイの中心においてより高い密度を有する個別の開口部は、放射状の構成を有する。いくつかの実施形態において、サセプタ層１２４は、その中に約３０〜約８０の個別の開口部１２６を有する。更に、いくつかの構成では、個別の開口部１２６はそれぞれ、約０．１２５インチ〜約０．２５インチの直径を有する。一手法によれば、電子レンジ対応型支持体は、開口部の面積に対するサセプタ層の面積の比が約４０：１〜約８０：１である。
【００３３】
別の態様では、吸収性パッド層１２２は、水分およびグリースを吸収するのに適した可撓性の紙ベース材料を含む。サセプタ層１２４と同様に、吸収性パッド層１２２も多層の可撓性構造であり得る。一手法では、吸収性パッドは、水分およびグリースを吸収するための紙層、透明ポリエチレン層、および不織紙ベース層を有する。いくつかの実施形態において、吸収性パッド層１２２は、約０．０１０インチ〜約０．０４０インチのパッド厚さ、および約１３５  ｌｂｓ．／ｒｅａｍ（１，０００  ｓｑ．ｆｔ）の坪量を有する。
【００３４】
更に別の態様では、板紙ベース層１１６はサセプタ層１２４および吸収性パッド層１２２を支持する。上述したように、板紙ベース層１１６は単層でもよく、約０．０１０インチ〜約０．０３０インチのベース厚さを有し得る。
【００３５】
図４に示すように、電子レンジ対応型食品１１０は、平坦な電子レンジ対応型支持体１１４を電子レンジの床部または下方の地点から持ち上げるスタンド１３８を有することができる。図６に示すように、パッケージは長方形のスタンドを含むことができ、これは、例えば、電子レンジ対応型支持体１１４を持ち上げるように構成された自立型であってもよい。スタンド１３８が食品パッケージに含まれる場合、スタンド１３８は、パッケージ内の空気量を減少させるように、一般に食品１１２を有する真空パック容器の外側にあるか、またはスタンド１３８は、平坦な構成にて含まれる。図５は、フィルムラッパー１３６内に配置された平坦な電子レンジ対応型支持体１１４および食品１１２を示す。図５は４つのサイドシールを有するフィルムラッパー１３６を示しているが、食品１１２を出荷し、その鮮度を保つために多数のフィルムラッパーを使用することができる。
【００３６】
いくつかの実施形態において、サセプタ層１２４、吸収性パッド層１２２、および板紙ベース層１１６は、互いに同一の広がりを持たない。例えば、サセプタ層１２４は、いくつかの構成では、板紙ベース層１１６よりも電子レンジ対応型支持体１１４の表面積をより少なく覆っている。図７は、電子レンジ対応型支持体１１４の表面全体未満を被覆するサセプタ層１２４を示す。例えば、サセプタ層１２４の周縁は、電子レンジ対応型支持体１１４または板紙ベース層１１６の周縁まで延在していない。一手法では、サセプタ層は支持体表面積全体の約４０％〜約６０％を被覆する。吸収性パッド１２２が個別の開口部１２６またはサセプタ層１２４の下にのみ配置されてもよいが、いくつかの構成では、サセプタ層１２４が支持体表面積全体未満を覆っている場合でさえ、吸収性パッド１２２は板紙層１１６と同一の広がりを有する。他の実施形態では、サセプタ層、吸収性パッド層、および板紙ベース層は互いに同一の広がりを持つ。
【００３７】
図８は、サセプタ層１２４、吸収性パッド層１２２、および板紙ベース層１１６が、その長さおよび幅において互いに同一の広がりを有する、一実施形態の上面図を示す。サセプタ層１２４は、主に上面図から見ることができるが、サセプタ層１２４の個別の開口部１２６は、その下の吸収性パッド１２２へのアクセスを可能にする。図９の断面図に示すように、この構成では、板紙ベース層１１６は、サセプタ層１２４と吸収性パッド１２２との間に挟まれている。従って、個別の開口部１２６は、サセプタ層１２４および板紙ベース層１１６を貫通して、吸収性パッド１２２まで延在している。板紙ベース層１１６は、非常に少量のグリースおよび水分を吸収することができるが、吸収性パッド１２２は十分なグリースおよび水分を吸収することで、噛みづらくなることなく、電子レンジ調理中にベーコン製品を調理してカリカリに仕上げることを可能にする。更に、サセプタ層の個別の開口部の穿孔パターンは、食品を極度に収縮させることなく（調理作業中にサセプタ層に十分なグリースがない場合に起こり得る）、ベーコン等の食品をカリカリに仕上げるのに十分なグリースをその上に保持する。
【００３８】
図１０は、電子レンジ対応型支持体１１４の一実施形態の多様な多層を示す概略図を示す。いくつかの実施形態において、サセプタ層１２４は、例えば、金属化材料、紙層および／またはポリマー層を含むことができ、また吸収性パッド層１２２は、例えば、水分およびグリースを吸収するための紙層、ポリエチレン層、および不織紙ベース層を含むことができる。層の組み合わせを説明するために、図１０は、異なる材料のロール（即ち、３つのマクロ層）を組み合わせて、電子レンジ対応型支持体１１４を作り出す方法を示す。これら３つの層は、例えば熱、圧力、接着剤または接着剤結合、またはそれらの組み合わせにより取り付けることができる。更に、上述したように、層の順序は可変である。
【００３９】
同一の広がりを持たない層を有する他の構成を図１１に示す。この構成では、サセプタ層１２４は、板紙ベース層１１６よりも電子レンジ対応型支持体１１４の表面積をより少なく覆っている。更に、サセプタ層１２４は、概して、電子レンジ対応型支持体１１４の中心に配置される略円形構成を有する。更に、放射状構成の個別の開口部は、サセプタ層１２４の中央に配置される。一手法では、板紙ベース層１１６は、消費者が、電子レンジ調理操作後に熱くなっている可能性があるサセプタ層１２４に触れることなく、板紙ベース層１２４を把持することができるように、サセプタ層１２４の周囲を超えて延在している。
【００４０】
図７、図８、および図１１に示すように、サセプタ層１２４は、その中に配置された放射状パターンの個別の開口部１２６を有することができる。これらの図に示される個別の開口部は概して円形の構成を有するが、他の構成も可能である。例えば、個別の開口部は、とりわけ、長方形、楕円形、または菱形であり得る。
【００４１】
図１２は、その中に個別の開口部２２６を有するサセプタ層２２４を有する電子レンジ対応型支持体２１４を示す。図１２は、前の図と比較して僅かに異なる放射状パターンを示しており、菱形の個別の開口部２２６を含んでいる。図１３の断面図は、食品接触サセプタ層２２４と板紙ベース層２１６との間に挟まれた吸収性パッド２２２を有する電子レンジ対応型支持体２１４を示す。従って、個別の開口部２２６は、サセプタ層２２６のみを貫通しており、中間の吸収性パッド層２２２は貫通していない。図１４は、サセプタ層２２６および吸収性パッド層２２を有する３つの層の組み合わせを示しており、それぞれがその中に多層を有する。
【００４２】
いくつかの実施形態では、サセプタ層（およびいくつかの実施形態では板紙層）の個別の開口部は、例えば、サセプタ層（および任意に板紙層）に形成されたダイカットまたはレーザカットを介して形成され得る。例示的な一手法では、サセプタ層を吸収性パッドに取り付ける前に、個別の開口部を材料に切り込む。
【００４３】
電子レンジ対応型トレイまたは支持体は、３つのマクロ層（即ち、サセプタ層、吸収性パッド、および板紙ベース）を互いに積層することによって形成することができる。全体的に、同一の広がりを有する層を有する電子レンジ対応型トレイまたは支持体を形成する場合、３つの層は、概して、連続的または断続的にロールからスプールを取り外し、積層され得る（または取付けられる）。サセプタが板紙ベース層上に挿入されている場合等の別の構成では、別個のサセプタがサセプタフィルムのロールから切り取られ、次いで、位置合わせ後に、接着剤等によって、板紙ベースおよび／または吸収性パッドに適用されるか、または積層されてもよい。いくつかの構成では、サセプタ層および吸収性パッドは、併せて積層され、ロールから切り取られ、板紙ベースと位置合わせされ、次いで、そこに接着される。
【００４４】
一手法では、３つのマクロ層（即ち、吸収性パッド、サセプタ、および板紙ベース）をほぼ同時に一緒に積層することができる。例えば、上に示唆したように、３つのマクロ層のロールを巻き解き、その直後に一緒に積層してもよい。更に別の構成では、マクロ層の適用または積層は段階的であってもよい。一例として、サセプタ層を板紙ベースに適用し、その後に吸収性パッドをそれに取り付けることができる。例えば、サセプタ層および板紙ベースを取り付け、吸収性パッドをそこに取り付ける前に個別の開口部をその中に打ち抜いてもよい。
【００４５】
図１５は、電子レンジ対応型支持体３１４のサセプタ層３２４内の個別の開口部３２６の別の放射状の構成を示している。更に、図１６に示す菱形の個別の開口部３２６は、楕円形サセプタ層３２４を貫通して配置されている。楕円形および円形のサセプタ層に加えて、個別のサセプタ層は、正方形、菱形、星形、または他の形状であってもよいが、サセプタ層は、概して、電子レンジ対応型支持体またはトレイの中央に配置される。
【００４６】
図１７は、上に生のベーコン３１２が配置された電子レンジ対応型包装食品３１０の更に別の実施形態を示す。食品３１０は、サセプタ３２４、吸収性パッド３２２、および板紙ベース層３１６を有する多層の電子レンジ対応型支持体３１４を含む。板紙ベース層３１６は、電子レンジ対応型支持体３１４の端縁に配置された１つ以上の直立フランジ３４０を有することができる。図１８に示すように、板紙ベース層３１６は、吸収性パッド層３２２およびサセプタ層３２４の下の中央部３１５と、平坦な構成で消費者に出荷することができるが、概して、板紙ベース層３１６の中央部分３１５に垂直な直立構成または高架構成に移動可能なウイングまたはフランジ３４０とを有することができる。図１７の調理構成において、板紙ベース層３１６のフランジ３４０は、電子レンジ調理作業中に飛び散り得るグリースを保持し、消費者にパッケージを電子レンジから取り出すための握りやすい板紙部分を提供するのを助ける。図１７はパッケージの３つの側面にフランジ３４０を含むが、フランジはパッケージの２つの側面にのみ配置されてもよい。
【実施例】
【００４７】
（実施例１）
本明細書の実施例は、本明細書の開示を説明するために含まれ、それを限定するものではない。これらの実施例は、より従来型のパッケージと、本明細書に記載された特徴のいくつかを有するパッケージとの間の違いを説明することを目的としている。例えば、ストックサセプタ材料（以下の表で対照として識別）と比較して、吸収性パッドを有する電子レンジ対応型トレイまたは支持体（以下の表でパッケージテストとして識別）の吸収能力を定量化するために、４本のベーコンを電子レンジ調理し、電子レンジ調理操作の前後にパッケージの様々な要素を測量した。以下の実施例のテストパッケージは、図８に示すものと同様に、サセプタ層、板紙ベース、および吸収性パッドを有する電子レンジ対応型支持体を含む。しかしながら、コントロールパッケージは、その中に個別の開口部を有さないサセプタ層と、板紙ベースとを有するだけである。
【００４８】
より詳細には、（パッケージテストにおける）吸収性パッドを測量し、パッケージテストおよび対照材料の両方に対するサセプタカード（即ち、サセプタ層および板紙ベース）を測量し、プロトタイプに配置し、１１００Ｗのマイクロ波で２．５分間電子レンジにかける前に４本の生のベーコンを測量した。プロトタイプを電子レンジから取り出して、調理したベーコンを測量し、グリースおよび水分をトレイから流し出して測量し、サセプタトレイを測量し、吸収性パッドを測量した（パッケージ試験に存在するものを計量した）。以下の全データはグラム単位で収集された。
【００４９】
【表１】
2020500789.tif 000003
【００５０】
【表２】
2020500789.tif 000004
【００５１】
列１に記載されているグリースの総量は、調理の前後の構成要素、即ちサセプタトレイおよびパッド（存在する場合）の重量の差に、流出したグリースの重量を加えたものである。更に、列４は、吸収されなかったグリースの総量、即ち、列１のグリースの総量からテストパッケージ内の構成要素、即ちサセプタトレイおよび吸収性パッドによって吸収されたグリースの総量を引いたものを示す。最後に、列５は、吸収されなかったグリースのパーセンテージ、即ち、列４を列１で割ったものを示す。これは、吸収性パッドを有するサセプタトレイが吸収性パッドを含まないストックサセプタ材料と比較して、グリースの吸収においてはるかに効率的であることを示す。
【００５２】
上記の試験で使用されたベーコンには、約３５．２５％〜約６２．７５％の水分含有量、約７．５％〜約１８．５％のタンパク質含有量、約１６．２５％〜約５２．２５％の脂肪含有量、および約１．１６％〜約２．１６％の塩分含有量を有するセンターカットベーコンが含まれていた。別のベーコン製品において、ベーコンは、約３０．７５％〜約５８．２５％の水分含有量、約７．５％〜約１７．７５％のタンパク質含有量、約２２．５％〜約５７．５％の脂肪含有量、および約１．１６％〜約２．１６％の塩分含有量を有する。別の製品では、ベーコンは、約３０．７５％〜約５８．２５％の水分含有量、約７．５％〜約１７．７５％のタンパク質含有量、約２２．５％〜約５７．５％の脂肪含有量、および約０．９５％〜約１．９５％の塩分含有量を有する。いくつかの実施形態において、ベーコンは、１８．５％を超えるタンパク質含有量を有し得る。これらの例は、本明細書に記載のパッケージを使用して調理することができるベーコン製品のいくつかを示しているが、他の食品（生、調理済み、または部分調理済みのアイテムを含む）は、提供されたこれらの範囲外の含有範囲を有し得る。
【００５３】
当業者であれば、本発明の範囲から逸脱することなく、上記の実施形態に関して多種多様な他の修正、変更、および組み合わせも可能であり、そのような修正、変更、および組み合わせは、本発明の概念の範囲内にあると見なされるべきであることを理解するであろう。
【図１】
2020500789.tif 000005
【図２】
2020500789.tif 000006
【図３】
2020500789.tif 000007
【図４】
2020500789.tif 000008
【図５】
2020500789.tif 000009
【図６】
2020500789.tif 000010
【図７】
2020500789.tif 000011
【図８】
2020500789.tif 000012
【図９】
2020500789.tif 000013
【図１０】
2020500789.tif 000014
【図１１】
2020500789.tif 000015
【図１２】
2020500789.tif 000016
【図１３】
2020500789.tif 000017
【図１４】
2020500789.tif 000018
【図１５】
2020500789.tif 000019
【図１６】
2020500789.tif 000020
【図１７】
2020500789.tif 000021
【図１８】
2020500789.tif 000022
【国際調査報告】
2020500789.tif 000023
2020500789.tif 000024
2020500789.tif 000025